(57)【要約】【課題】  非常にコントラストの高い表示視認性を得つつ、くっきりとした視認性のよい表示を行うことができる高視認性ヘッドアップディスプレイシステムを提供すること。【解決手段】  フロントウインドシールド７は、２枚のガラス７１，７２を接着層７３で貼り合わせた構成にし、フロントウインドシールド７の周縁を覆うマスキング部２ａを拡大して、フロントウインドシールド７におけるヘッドアップディスプレイの表示の背景部分を兼ねるマスキング拡大部２を、車両前方の外側のガラス７１と、接着層７３との間に設けるようにした。【選択図】        図１
2008134541.tif 000002
【特許請求の範囲】
【請求項１】
表示をフロントウインドシールドの位置付近で反射させ、ドライバに虚像で表示を行うヘッドアップディスプレイシステムにおいて、
前記フロントウインドシールドは、２枚の透明板を接着層で貼り合わせた構成にし、
フロントウインドシールドの周縁を覆う着色部分を拡大して、フロントウインドシールドにおけるヘッドアップディスプレイの表示の背景部分を兼ねる拡大着色部を、車両前方の外側の前記透明板と、前記接着層との間に設けるようにした、
ことを特徴とする高視認性ヘッドアップディスプレイシステム。
【請求項２】
請求項１に記載の高視認性ヘッドアップディスプレイシステムにおいて、
前記拡大着色部は、車室側の面が粗い面となるようにした、ことを特徴とする高視認性ヘッドアップディスプレイシステム。
【発明の詳細な説明】
【技術分野】
【０００１】
本発明は、ヘッドアップディスプレイ（ＨＵＤ）の視認性を向上させた高視認性ヘッドアップディスプレイシステムの技術分野に属する。
【背景技術】
【０００２】
従来のヘッドアップディスプレイでは、インスト内に表示器を埋め込み、フロントウインドシールドまたは別体のコンバイナ上の略透明部分に表示器からの光を反射させ、背景とラップさせてドライバから表示が見える構造にしている（例えば、特許文献１参照。）。
【特許文献１】特開２００５−３５４０６号公報（第２−７頁、全図）
【発明の開示】
【発明が解決しようとする課題】
【０００３】
しかしながら、従来の高視認性ヘッドアップディスプレイシステムにあっては、フロントウインドシールドまたは、コンバイナ上の略透明部分に反射した光は、背景景色とラップして見えるため、背景の明るさ（明暗）、色調等により視認性が大きく変わり、背景が明るい場合や背景色がＨＵＤの表示色と同系色の場合は、視認性が低下し殆ど見えない場合があり問題であった。
【０００４】
本発明は、上記問題点に着目してなされたもので、その目的とするところは、非常にコントラストの高い表示視認性を得つつ、くっきりとした視認性のよい表示を行うことができる高視認性ヘッドアップディスプレイシステムを提供することにある。
【課題を解決するための手段】
【０００５】
上記目的を達成するため、本発明では、表示をフロントウインドシールドの位置付近で反射させ、ドライバに虚像で表示を行うヘッドアップディスプレイシステムにおいて、前記フロントウインドシールドは、２枚の透明板を接着層で貼り合わせた構成にし、フロントウインドシールドの周縁を覆う着色部分を拡大して、フロントウインドシールドにおけるヘッドアップディスプレイの表示の背景部分を兼ねる拡大着色部を、車両前方の外側の前記透明板と、前記接着層との間に設けるようにした、ことを特徴とする。
【発明の効果】
【０００６】
よって、本発明にあっては、非常にコントラストの高い表示視認性を得つつ、くっきりとした視認性のよい表示を行うことができる。
【発明を実施するための最良の形態】
【０００７】
以下、本発明の高視認性ヘッドアップディスプレイシステムを実現する実施の形態を、請求項１，２に係る発明に対応する実施例１に基づいて説明する。
【実施例１】
【０００８】
まず、構成を説明する。
図１は実施例１の高視認性ヘッドアップディスプレイシステムの主要構成の説明断面図である。
【０００９】
実施例１の高視認性ヘッドアップディスプレイシステムは、ＨＵＤユニット１、マスキング拡大部２を主要構成としている。
ＨＵＤユニット１は、図１に示すように、車両の車室内とエンジンルームを仕切る隔壁６より後方で、インストパネル３の前側の内部に設けられている。
この位置は、図１に示すように、メータ４、インストパネル３の内部のダクト５より前方位置となる。
【００１０】
ＨＵＤユニット１は、制御部１１、表示部１２、光源１３を主要な構成としている。
制御部１１は、車両の各装置等から表示に関する情報を得て、表示部１２への表示内容の制御と光源１３の制御を行う。
表示部１２は、制御部１１の表示内容データから画像を生成して表示を行う。
具体例として液晶表示を挙げておく。
光源１３は、表示部１２のバックライトとして投光を行い、虚像表示に充分な輝度を持たせる。
【００１１】
次に実施例１の高視認性ヘッドアップディスプレイシステムのマスキング拡大部について説明する。
図２は実施例１の高視認性ヘッドアップディスプレイシステムのマスキング拡大部の説明図である。図３は実施例１の高視認性ヘッドアップディスプレイシステムのマスキング拡大部の説明断面図である。図４は実施例１の高視認性ヘッドアップディスプレイシステムのマスキング拡大部及びマスキング部の説明図である。
【００１２】
実施例１では、図４に示すように、フロントウインドシールド７の周縁部に、マスキング部２ａ及びマスキング拡大部２を設けている。
このマスキング拡大部２及びマスキング部２ａは、図３に示すように、合わせガラス、つまり２枚のガラス７１，７２を合わせて構成されるフロントウインドシールドにおいて、ガラス７１，７２の間に例えば黒いセラミック塗装部分として、設けるものである。
なお、図２等図面上では、マスキング拡大部２の黒いセラミック塗装部分は、説明上、ハッチングで示すものとする。
また、少なくともマスキング拡大部２は、荒い表面、つまり粗面を形成する。
【００１３】
また、図４に示すように、フロントウインドシールド７の周縁部に設けるマスキング部２ａの一部の高さを大きくして、マスキング拡大部２を設ける。
このマスキング拡大部２は、ドライバ側よりも車室左右の中央よりに設けるようにして、メータカバーになるインストパネル３の部分やステアリング９により一部が見えなくなるケラレが生じないようにする。
そして、マスキング拡大部２を設けた部分に相当するインストパネル３の部分を下方へ凹ませるようにして、図２に示す横長の略六角形状のマスキング拡大部２を設けるようにする。図２に凹部３ａとして示す。
この際に、インストパネル３の凹部３ａ以外の上面部分、つまり一般面は、可能な限り上方に設定し、ＨＵＤの反射表示を行う部分のみを凹ませる形状の凹部３ａとする。
なお、マスキング拡大部２は、ドライバ正面に設けてもよく、その場合は、瞬読性のよい表示にできる。
【００１４】
次に、マスキング部２ａ及びマスキング拡大部２、フロントウインドシールド７の構造について、さらに詳細に説明する。
図５は、実施例１の高視認性ヘッドアップディスプレイシステムのマスキング拡大部のさらに詳細を示す説明断面図である。
フロントウインドシールド７は、上記説明のように、２枚のガラス７１，７２を合わせた構成である。この２枚のガラス７１，７２の間には、フィルムによる接着層７３を設けて、合わせ構造にする。
なお、接着層７３は、透過性のあるフィルム状のものを用いるものとする。
【００１５】
実施例１の高視認性ヘッドアップディスプレイシステムでは、マスキング拡大部２をガラス７１，７２の間に塗装で設ける際には、車室内側から前方外側に向かって、ガラス７２、接着層７３、マスキング拡大部２、ガラス７３の順になるように設ける。
言い換えると、表示部１２からの光を反射するガラス７２とマスキング拡大部２との間に接着層７３を位置させるようにする。
【００１６】
次に、作用を説明する。
［視認性を非常に向上させる作用］
実施例１の高視認性ヘッドアップディスプレイシステムでは、制御部１１の制御により表示内容を表示した表示部１２を背面から光源１３で投光することにより、表示光は、光路１００によりマスキング拡大部２の位置のガラス７２で反射して、ドライバの目線へむかう。これにより、ドライバからは、図１に示す虚像２０の位置に表示が見えることになる。また、この表示の背景は、マスキング拡大部２となる。
【００１７】
反射された虚像による表示の背景が周辺の景色に関わらず常に黒となるため、周辺環境に左右されることなく、非常にコントラストの高い表示視認性を得ることができる。
また、背景が黒い部分に反射表示させるため、略透明部に反射表示させるタイプに比べ、表示部１２の輝度が低くても視認性のよい表示を得ることができる。
このことは、消費電流の低減につながる。
【００１８】
つまり、表示部１２からの光をフロントウインドシールド７または別体のコンバイナ上の略透明部に反射表示させる従来のＨＵＤ（ヘッドアップディスプレイ）に比べ、表示部１２の輝度を明るくしなくてすむため、表示部１２または光源１３の負荷を軽減することができる。
【００１９】
[接着層とマスキング拡大部の配置について]
図６は接着層とマスキング拡大部の配置を変更した状態の説明図である。図７は、図６の構成における表示例を示す説明図である。図８は実施例１の高視認性ヘッドアップディスプレイシステムにおける表示例を示す説明図である。
図６に示すように、車室内側から前方外側に向かって、ガラス７２、マスキング拡大部２、接着層７３、ガラス７３の順になるように設けると、以下に説明するような問題が生じる。
【００２０】
本来、表示部１２からの表示の光は、一体となったフロントウインドシールド７の最も車室内側のガラス７３の表面において、ドライバへ向かう方向へ反射し、光路１００を形成し、虚像２０が表示される。
図６の構成では、このガラス７３の車両前方外側に、黒い塗装部分であるマスキング拡大部２が位置するため、ガラス７３の車両前方外側の裏面でも、表示部１２からの表示の光がドライバ側へ反射される。これにより光路２００が形成され、虚像３０が表示されることになる。
すると、図７に示すように、表示像としては、虚像２０と虚像３０がずれて重なる表示、つまり二重像（ゴースト）となり、はっきりしない表示となる。
これは、表示品質、視認性から問題である。
実施例１では、この問題を解決している。
【００２１】
実施例１の高視認性ヘッドアップディスプレイシステムでは、車室内側から前方外側に向かって、ガラス７２、接着層７３、マスキング拡大部２、ガラス７３の順になるように、つまり、表示部１２からの光を反射するガラス７２とマスキング拡大部２との間に接着層７３を位置させる。
表示部１２からの表示の光は、一体となったフロントウインドシールド７の最も車室内側のガラス７３の表面において、ドライバへ向かう方向へ反射し、光路１００を形成し、虚像２０が表示される。
【００２２】
そして、表示部１２からの表示の光で、ガラス７３を透過したものは、さらに接着層７３を通過して、マスキング拡大部２へ至ることになり、ここで反射が生じることになるが、マスキング拡大部２の表面を粗面にしているため、表示の光が拡散して放射され、ドライバ側への光路及び虚像を生じない。
そのため、本来の光路１００による虚像２０のみが表示されることになり、はっきりとした表示になる。
【００２３】
言い換えると、表示部１２から発光された光は、フロントウインドシールド７の表面で反射し、裏面の光はマスキング拡大部２の表面、つまり粗面にあたり拡散され、ドライバ側へ反射してこないため、くっきりとした表示を得ることができる。
【００２４】
次に、効果を説明する。
実施例１の高視認性ヘッドアップディスプレイシステムにあっては、下記に列挙する効果を得ることができる。
【００２５】
(1)表示をフロントウインドシールド７の位置付近で反射させ、ドライバに虚像で表示を行うヘッドアップディスプレイシステムにおいて、フロントウインドシールド７は、２枚のガラス７１，７２を接着層７３で貼り合わせた構成にし、フロントウインドシールド７の周縁を覆うマスキング部２ａを拡大して、フロントウインドシールド７におけるヘッドアップディスプレイの表示の背景部分を兼ねるマスキング拡大部２を、車両前方の外側のガラス７１と、接着層７３との間に設けるようにしたため、非常にコントラストの高い表示視認性を得つつ、くっきりとした視認性のよい表示を行うことができる。
【００２６】
(2)マスキング拡大部２は、車室側の面が粗い面となるようにしたため、表示光をマスキング拡大部２で反射する際に、拡散が進むようにして、２重像を生じさせないようにして、さらにくっきりとした視認性のよい表示を行うことができる。
その他作用効果は実施例１と同様であるので、説明を省略する。
【００２７】
以上、本発明の高視認性ヘッドアップディスプレイシステムを実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
【００２８】
例えば、実施例１では、マスキング拡大部は、黒い塗装部分であったが、他の色であってもよく、表示のコントラストが得られるよう暗色であることが望ましい。
マスキング拡大部及びマスキング部は、塗装であっても印刷であっても、またフィルム状のものを組み込むものであってもよい。
【図面の簡単な説明】
【００２９】
【図１】実施例１の高視認性ヘッドアップディスプレイシステムの主要構成の説明断面図である。
【図２】実施例１の高視認性ヘッドアップディスプレイシステムのマスキング拡大部の説明図である。
【図３】実施例１の高視認性ヘッドアップディスプレイシステムのマスキング拡大部の説明断面図である。
【図４】実施例１の高視認性ヘッドアップディスプレイシステムのマスキング拡大部及びマスキング部の説明図である。
【図５】実施例１の高視認性ヘッドアップディスプレイシステムのマスキング拡大部のさらに詳細を示す説明断面図である。
【図６】接着層とマスキング拡大部の配置を変更した状態の説明図である。
【図７】図６の構成における表示例を示す説明図である。
【図８】実施例１の高視認性ヘッドアップディスプレイシステムにおける表示例を示す説明図である。
【符号の説明】
【００３０】
１  ＨＵＤユニット
２  マスキング拡大部
２ａ  マスキング部
３  インストパネル
３ａ  凹部
４  メータ
５  ダクト
６  隔壁
７  フロントウインドシールド
７１  ガラス
７２  ガラス
７３  接着層
８  フード
９  ステアリング
１１  制御部
１２  表示部
１３  光源
２０  虚像
３０  虚像
１００  光路
２００  光路
【図１】
2008134541.tif 000003
【図２】
2008134541.tif 000004
【図３】
2008134541.tif 000005
【図４】
2008134541.tif 000006
【図５】
2008134541.tif 000007
【図６】
2008134541.tif 000008
【図７】
2008134541.tif 000009
【図８】
2008134541.tif 000010